(57)【要約】      （修正有）【課題】室内の鏡の前でも靴を履いた状態で見ることができ、服飾店の試着室において広告を入れて宣伝することもできるスリッパを提供する。【解決手段】スリッパのつま先部分を透明・やわらかい素材にし、サイズを大きくする。底の部分を色や模様でデザイン性の高いものにする。底部分に滑り止めの素材を使い、またつま先部分と底部分の接続部分を伸縮性のある素材にする。靴と接触する側の底の部分に透明な素材でポケット状のものを作ることにより、そこに紙や布を容易にはさめるようにする。【選択図】図２
0003163205.tif 000002
【実用新案登録請求の範囲】
【請求項１】
靴用スリッパにおいて、つま先部分が透明でできており、中が透けて見えるという特徴をもつもの。
【請求項２】
靴用スリッパにおいて、底部分がビニールなど透明な素材でできており、その内側、もしくは底部分そのものは色や柄などでデザインできる特徴を持つもの。
【請求項３】
靴用スリッパにおいて、つま先部分と底部分を伸縮性のある素材で接続していること。
【請求項４】
靴がはみ出ないよう、スリッパの側面が盛り上がっていること。
【請求項５】
靴と接触する底部分に滑り止めの素材が使われていること。
【請求項６】
底部分を透明の素材で覆い、底部分と透明の素材の間にポケットなどを作り、紙や布を容易にはさむことができること。
【考案の詳細な説明】
【技術分野】
【０００１】  本考案は靴を履いた状態で利用するスリッパに関し、特に透明の素材、また透明でやわらかい素材をつま先部分に使うことによって、スリッパの中の靴が見え、室内にある鏡の前でも靴を合わせる事ができるスリッパに関わる。また室内に忘れ物をした際にも有用であり、透明にすることによってデザイン性を高めるものである。またスリッパの底部分を透明の素材で覆う構造にすれば、透明の素材とスリッパの底の間に任意の柄や広告をいれることもできる。このことによって家庭でオリジナルのスリッパを作成することはもちろん、試着室などで靴を脱ぐことなく利用でき、新作の柄や宣伝などをいれ、広告材料としても活用することができるものである。
【背景技術】
【０００２】  従来より姿見は室内にあることが多く、靴を履いた状態の全身を見ることがなかなかできない。また靴は一度履いて外出し、忘れ物などのために室内に戻る際、脱ぐのに手間がかかる。特に女性の靴はブーツやミュール、編み上げ式の靴など脱ぐのに手間のかかるものが多い。そのため、靴を履いたままでも使えるスリッパの需要がある。【０００３】  実際靴のまま履けるスリッパが提案されている。【０００４】
【先行技術文献】
【特許文献】
【特許文献１】特開２００７−２８９３９８
【考案の概要】
【考案が解決しようとする課題】
【０００５】  しかしながら、特許文献１のスリッパでは、透明のやわらかい素材を使うことが難しい。本考案はつま先部分の素材に透明で柔らかい素材を利用することによって、靴を見ることができ、さらに必要によっては、つま先部分を踏むこことで、スリッパを通さなくても直接鏡で靴を見ることができる。【０００６】  また、つま先部分だけを透明にし、スリッパの底部分に色や柄を入れることにより、よりデザイン性の高いおしゃれなものを作るのが容易になる。デザイン性を高めることによって、玄関という家の顔といえる場所においても違和感なく、インテリアとして存在できるようになる。【０００７】  また、底部分を透明の素材で覆い、底部分と透明の素材の間に紙や布を挟むことのできる構造にすることもでき、これによってオリジナルのスリッパが容易に作れる。そのため自分好みのスリッパを作ることもでき、また服飾店などではそこに新作の柄や広告を入れることによって、試着室などで宣伝材料としても利用することができる。【０００８】  上記のとおり、本考案によれば、室内の鏡で靴のチェックができるという付加価値を与えおしゃれ用にすることによって、靴を脱ぐのが面倒という、横着な印象も和らげ、利用範囲を広げることができる。またデザイン性の高いものにすることにより、玄関にあってもかわいらしい印象にすることができる。また底部分を透明の素材で覆い、底部分と透明の素材の間に紙や布を挟むことのできる構造にすれば、オリジナルのスリッパができる。そのため試着室などで広告としても商業利用することができる。
【課題を解決するための手段】
【０００９】  本考案のスリッパは、つま先の部分に透明の素材を利用することによって中を見えるようにするものである。【００１０】  また、様々な靴にも履きやすく脱げにくくするために、つま先部分の形状を脱げにくい形にする、またはつま先部分の付け根の部分に伸縮性のある素材を利用することにより、ゴムで軽く押さえられるようにする。【００１１】  また、必要によってはかかと部分も脱げ易いため、スリッパの側面に高さを作り、靴のかかとの部分がスリッパからはみ出ることを防ぐ。【００１２】  さらに、靴と接触するスリッパの底部分には滑り止め加工を施す。
【考案の効果】
【００１３】  本考案のスリッパによれば、姿見が室内にある場合でも、靴を履いた後、本スリッパを履けば、鏡の前で靴も合わせることができ、靴を含めた全体の姿を見ることが可能になる。【００１４】  また、室内に忘れ物をした場合でも、靴を脱ぐことなく室内に戻ることができ、靴を脱ぐという手間を省くことができる。特に女性の靴の場合、ブーツなど脱ぎにくい靴が多く、出かけ際の急いでいるときに靴を脱ぐことには時間がかかるため、時間短縮ができ便利である。【００１５】  さらに、つま先部分を透明の素材にし、底部分を着色したり、柄を入れたり、デザインの高いものにすることによって、玄関先にあっても違和感のないスリッパを提供することができる。【００１６】  また、底部分を透明の素材で覆い、底部分と透明の素材の間をポケット状にすることもできる。そうすれば底と透明の素材の間に紙や布を入れることができ、オリジナルのスリッパを容易に作成することができる。利用範囲は、家庭はもちろん、商業用スペース、特に試着室などで広告を入れるなどすれば、宣伝物として利用することもできる。
【考案を実施するための形態】
【００１７】  以下、本考案のスリッパをその最良の形態について図面に示す実施例に基づいて具体的に説明する。
【００１８】  図１のように、つま先部分を透明のやわらかい素材にする。
【００１９】  図２のように、つま先部分の素材と形状に寄るが、つま先部分と底部分を接続する部分を伸縮性のある素材にすることで、伸縮性を使って靴が入りやすく、必要によっては軽くはさむことができるようにする。また、つま先部分の先の部分は固定し、つま先部分の後ろ部分だけ伸縮性のあるものにすることもできる。
【００２０】  図２のように、スリッパ側面部分を透明の素材を使って高さを作り、靴のかかとがはみ出さないように、する。ただしつま先部分の形状によって必要がなければ不要とする。
【００２１】  図１、図２も、底部分に任意の色や柄を入れることにより自由度の高いデザイン性を保つ。
【００２２】  図１、図２も、底部分を透明の素材で覆い、底部分と透明の素材の間をポケット状にすることもでき、その間に紙や布などをはさむことができる。
【００２３】  図１、図２も、底部分に滑り止め加工を施す。
【図面の簡単な説明】
【００２４】
【図１】本スリッパの基本的な完成予想図である。
【図２】本スリッパのつま先を底部分にくっつける際、つま先部分の素材や形状に寄るが、必要があればつま先部分と底部分を伸縮性のある素材でつなぎ合わせる。また、スリッパの側面を少し高くし、靴がはみ出て床に触れるのを防いでいる。また底には滑り止め加工が施されている。
【図１】
0003163205.tif 000003
【図２】
0003163205.tif 000004
【図１】
0003163205.tif 000005
【図２】
0003163205.tif 000006
【手続補正書】
【提出日】平成22年7月14日(2010.7.14)
【手続補正１】
【補正対象書類名】実用新案登録請求の範囲
【補正対象項目名】全文
【補正方法】変更
【補正の内容】
【実用新案登録請求の範囲】
【請求項１】
靴用スリッパにおいて、つま先部分が透明でできており、中が透けて見える特徴を持つスリッパ。
【請求項２】
靴用スリッパにおいて、つま先部分とスリッパと靴が接する部分を伸縮性のある素材で接続している、請求項１記載の靴用スリッパ。
【請求項３】
靴がはみ出ないよう、スリッパの側面が盛り上がっている請求項１記載の靴用スリッパ。
【請求項４】
スリッパと靴が接する部分に滑り止めの素材が使われている請求項１記載の靴用スリッパ。
【請求項５】
スリッパと靴が接する部分を、透明の素材で覆い、透明の素材とスリッパの間にポケットを作り、紙や布を容易に挟むことができる請求項１記載の靴用スリッパ。
【手続補正３】
【補正対象書類名】図面
【補正対象項目名】全図
【補正方法】変更
【補正の内容】
【図１】
0003163205.tif 000007
【図２】
0003163205.tif 000008